(57)【要約】【課題】エアー噛みを起こすことがなく内容物の安定的な注出が行えるポンプ付き容器を提案する。【解決手段】内容物の充填空間を区画形成する胴体１と、この胴体１の口部１ａを通して充填空間Ｍの上部に吊り下げ保持されるポンプ４と、このポンプ４を作動させて充填空間Ｍ内の内容物を吸引、加圧、圧縮して外界へ噴出させるノズルヘッド５と、充填空間Ｍの底壁を形成するとともに内容物の充填容量が減るにしたがい充填空間の上部へ向けてスライドする中皿１１とを備えたポンプ付き容器において、前記ポンプ４の吸引口Ｓに、内容物の吸引時にのみ開放する弁体４ｄを設けてシリンダー４ａ内における残存エアーの内容物への移行を阻止する。【選択図】図１
2010047261.tif 000002
【特許請求の範囲】
【請求項１】
内容物の充填空間を区画形成する胴体と、この胴体の口部を通して充填空間の上部に吊り下げ保持されるポンプと、このポンプを作動させて充填空間内の内容物を吸引、加圧、圧縮して外界へ噴出させるノズルヘッドと、充填空間の底壁を形成するとともに内容物の充填容量が減るにしたがい充填空間の上部へ向けてスライドする中皿とを備えたポンプ付き容器であって、
前記ポンプの吸引口に、内容物の吸引時にのみ開放する弁体を設けたことを特徴とするポンプ付き容器。
【請求項２】
前記弁体が、ボール弁、三点支持弁又は一点支持弁からなる、請求項１記載のポンプ付き容器。
【発明の詳細な説明】
【技術分野】
【０００１】
本発明は、内容物の充填容量が減るにしたがい中皿が上昇するポンプ付き容器に関するものであり、とくに、内容物として粘度の高いものを高温状態で充填した場合に起こりがちであったエアー噛みを確実に回避しようとするものである。
【背景技術】
【０００２】
化粧料や整髪料、シャンプーあるいはリンス等を入れる容器としては、ハンディータイプや据え置きタイプに関わらずポンプを装着したものが多数上市されており、これにより容器内の内容物を衛生的、かつ効率的に注出することができるようになっている。
【０００３】
また、ポンプ付き容器としては、ポンプの吸引口を容器の口部の直下に位置せしめ、内容物が取り出されるにしたがい中皿を該吸引口へ上昇させて内容物の充填空間を狭めるようにした容器が適用されている（例えば、特許文献1参照）ところ、この種の容器にあっては、とくに、粘度が比較的高い内容物を高温状態で充填するような充填形態が採られた場合に、内容物の温度低下に伴って容器内が減圧された時にポンプ内に存在するエアーが内容物へと移行して吸い込み口の周りにエアー溜りを形成し、ポンプを作動させるべく押圧ヘッドを押し込んでもエアー噛み（エアーを吸い込むだけで内容物が吸引されない状態）を起こすために内容物の排出が困難となる不具合があった。
【特許文献１】特開２００４−２５５３２６号公報
【発明の開示】
【発明が解決しようとする課題】
【０００４】
本発明の課題は、とくに、内容物として粘度の高いものを高温状態で充填するような場合において従来生じていた不具合を確実に回避できる新規なポンプ付き容器を提案するところにある。
【課題を解決するための手段】
【０００５】
本発明は、内容物の充填空間を区画形成する胴体と、この胴体の口部を通して充填空間の上部に吊り下げ保持されるポンプと、このポンプを作動させて充填空間内の内容物を吸引、加圧、圧縮して外界へ噴出させるノズルヘッドと、充填空間の底壁を形成するとともに内容物の充填容量が減るにしたがい充填空間の上部へ向けてスライドする中皿とを備えたポンプ付き容器であって、
前記ポンプの吸引口に、内容物の吸引時にのみ開放する弁体を設けたことを特徴とするポンプ付き容器であり、弁体としては、ボール弁、三点支持弁あるいは一点支持弁を用いることができる。
【発明の効果】
【０００６】
容器内が減圧状態になっても弁体によりポンプの吸い込み口は閉塞されているため、ポンプ内のエアーが内容物に向けて移行することはなく、したがってエアー噛みは起こらない。
【発明を実施するための最良の形態】
【０００７】
以下、図面を参照して本発明をより具体的に説明する。
図１は本発明にしたがうポンプ付き容器の実施の形態を模式的に示したものである。
【０００８】
図における1は内容物の充填空間Mを区画形成する胴体（容器の本体をなすものであり筒状体にて構成される）である。この胴体1は上部において開口する小径筒体からなる口部1ａを有しており、底部には充填空間Mにつながる開口1ｂが形成されている。
【０００９】
また、２は胴体1の底部において着脱自在なカバー体である。このカバー体２は胴体1の周壁にアンダーカットの如き係合手段によって連係する周壁２ａと、この周壁２ａの下部に一体連結する底壁２ｂと、この底壁２ｂの上面に設けられ、後述する中皿の裏側面に当接して該中皿の位置決めを行う受け部材（筒状体等）２ｃからなる。
【００１０】
また、３は胴体1の口部1ａに着脱自在にねじ止めされた筒状のベースである。このベース３は、天面部に、上向きに開放された凹部３ａを備えており、該凹部３ａの底壁には中央部に貫通孔ｈを有する台座３ｂが形成されている。
【００１１】
４は胴体1の口部1ａを通して充填空間Mの上部に吊り下げ保持されたポンプである。このポンプ４は、最下端に吸引口Ｓを有し、最上端がベース３に固定保持されたシリンダー４ａと、このシリンダー４ａ内にスライド可能に配置されるピストン４ｂと、このピストン４ｂと連係する中空ステム４ｃと、シリンダー４ａの内側に配置され、吸引口Sを密閉状態に保持する弁体（ボール弁）４ｄから構成されている。弁体４ｄは内容物の吸引時のみ開放される。
【００１２】
また、５は中空ステム４ｃにつながるノズルヘッドである。このノズルヘッド５は、押圧部位を形成する頭部５ａと、この頭部５ａにつながる環状周壁５ｂからなる。ノズルヘッド５の頭部５ａには内容物の排出経路ｒと、この排出経路ｒにつながり横向きに開放された噴出口ｈを有するノズルｎが設けられている。
【００１３】
また、６は環状周壁５ｂの内側に一体的に設けられた内筒、７はこの内筒６の内側でその壁面に沿いスライド可能に保持されるジョイント部材である。このジョイント部材７はフランジ状の本体部分７ａに、頭部５ａに設けられた排出経路ｒにスライド可能につながる小筒７ｂと、ポンプ４のピストン４ｂと連係する中空ステム４ｃに嵌合する筒体７ｃを有しており（小筒７ｂと筒体７ｃは通路でつながっている）、ポンプ４によって吸引、加圧、圧縮された内容物は、中空ステム４ｃに設けられた開孔４ｃ１からその内側に入り込み、筒体７ｃ、小筒７ｂ、排出経路ｒを通ってノズルｎの噴出口ｈから排出される。
【００１４】
８はジョイント部材７の筒体７ｃの外側において嵌合、保持され、中空ステム４ｃとジョイント部材７とを結合する連結部材である。
【００１５】
９はベース３の凹部３ａに設けられた台座３ｂと、ピストン押さえ８の外側に配置された基部８ａとの相互間に配置されたスプリングの如き弾性部材である。この弾性部材９はノズルヘッド５を弾性支持するものであって、これによってノズルヘッド５を初期姿勢に保持するとともに、その下方への押し込みを可能としている。
【００１６】
１０はノズルヘッド５の頭部５ａ内にスライド可能に配置されたシャットオフピンである。このシャットオフピン１０はその先端がノズルｎの噴出口ｈを塞ぐようにスプリング１０ａを介して弾性支持されている。シャットオフピン１０の後端部は枢支ピン１０ｂを支点にして回動可能なＬ型形状をなすレバー１０ｃの一端が連結しており、ノズルヘッド５を押し込むことで、レバー１０ｃのもう一端がジョイント部材７によって押され、これによりレバー１０ｃが枢支ピン１０ｂを支点に回動しシャットオフピン１０を後方へスライドさせてノズルｎの噴出口ｈを開放、内容物の排出を可能とする。
【００１７】
１１は充填空間Ｍの底壁を形成するとともに胴体１の内壁面に沿って摺動可能な中皿である。この中皿１１は内容物の充填容量が減るにしたがって充填空間Ｍの上方へ向けてスライドする（充填空間Ｍ内の内容物が吸引される際の吸引力が駆動力となってスライドする）ものであり、この中皿１１のスライドによって容器内の内容物のほとんどを使い切ることができる。さらに、１２はシリンダー４ａの内側に配置されたバルブ、１３はバルブ１２の抜け止め用リング、１４はシリンダー４ａの下端部における内周壁に設けられた縦リブであり、この縦リブ１４は例えば周壁の周りに沿い等間隔で４箇所設けることができるもので、その上端は抜け止め用リング１３の下端に当接している。
【００１８】
上記の構成になるポンプ付き容器においてノズルヘッド５の押し込みを解除すると、Ｌ型形状をなすレバー１０ｃの一端に加えられた力も解除されることとなり、弾性部材９の復元力でもってノズルヘッド５は初期姿勢へと復帰し、この復帰動作に連動してシャットオフピン１０はスプリング１０ａの反発力により前方へスライドしてノズルｎの噴出口ｈを閉塞する。
【００１９】
ここに、ノズルヘッド５は、押し込み動作のときのみノズルｎの噴出口ｈが開放されるものであって、それ以外はシャットオフピン１０の先端がノズルｎの噴出口ｈに当接しているため、液垂れが生じることがない。
【００２０】
ノズルヘッド５を最も押し込んだ状態から押し込みにかかる力を解除すると、ノズルヘッド５は弾性部材９の反発力により初期姿勢へと復帰し、その際、シリンダー４ａ内は減圧されるため、吸引口Ｓを通して内容物が吸引され、該内容物の吸引は押圧ヘッド６が初期姿勢に復帰するまで続く。
【００２１】
ノズルヘッド５が初期姿勢に復帰した状態で再びノズルヘッド５を押し込むと、シリンダー４ａ内に存在する内容物は加圧、圧縮され、これと連動してシャットオフピン１０が後方へとスライドし、圧縮された内容物は中空ステム４ｃの開孔４ｃ１、筒体７ｃ、小筒７ｂ、排出経路ｒを通ってノズルｎの噴出口ｈから排出される。
【００２２】
図２は弁体４ｄを有しない従来型のポンプ付き容器の要部の構成を示したものである（基本構成は図１に示したものと同じであり、各部材の符号は省略）。従来型のポンプ付き容器においては、内容物を高温状態で充填した直後は容器内もポンプ内もともに圧力はほぼ同じ状態にあるが、内容物の温度が低下して容器内が減圧されると図示のごとく、シリンダー４ａ内に残存するエアーが内容物側へと移行しシリンダー４ａの吸引口Ｓの周りにエアー溜りｅが形成され、これが原因となって内容物を排出するのが困難となっていたが、本発明にしたがうポンプ付き容器は、シリンダー４ａ内にエアーが残存していても弁体４ｄによりエアーの移行が阻止されるため内容物の注出を困難とするエアー溜りは形成されず内容物の安定的な注出が可能となる。
【００２３】
弁体４ｄとしてはボール状のものを適用した場合について例示したが、図３（ａ）（ｂ）に示すような三点支持弁や一点支持弁等の逆止弁やその他の逆止弁機構を適用することも可能であり、この点については限定されない。
【００２４】
また、ポンプとしては液垂れ防止の観点からシャットオフピンを備えたものを図示したが、ポンプは容器のサイズや内容物の種類に応じて種々変更することができる。
【産業上の利用可能性】
【００２５】
エアー噛みにより内容物の注出が困難となることがないポンプ付き容器が提供できる。
【図面の簡単な説明】
【００２６】
【図１】本発明にしたがうポンプ付き容器の実施の形態を示した図である。
【図２】従来形式のポンプ付き容器の断面を示した図である。
【図３】（ａ）は三点支持弁の平面を示した図であり、（ｂ）は一点支持弁の平面を示した図である。
【符号の説明】
【００２７】
１      胴体
１ａ    口部
１ｂ    開口
２      カバー体
２ａ    周壁
２ｂ    底壁
３      ベース
３ａ    凹部
３ｂ    台座
４      ポンプ
４ａ    シリンダー
４ｂ    ピストン
４ｃ    中空ステム
４ｄ    弁体
５      ノズルヘッド
５ａ    頭部
５ｂ    環状周壁
６      内筒
７      ジョイント部材
７ａ    本体部分
７ｂ    小筒
７ｃ    筒体
８      連結部材
９      弾性部材
１０    シャットオフピン
１０ａ  スプリング
１０ｂ  枢支ピン
１０ｃ  レバー
１１    中皿
１２    バルブ
１３    バルブの抜け止め用リング
１４    縦リブ
【図１】
2010047261.tif 000003
【図２】
2010047261.tif 000004
【図３】
2010047261.tif 000005